(57)【要約】【課題】受贈者に対し簡単にかつ確実に商品を贈呈する。【解決手段】プロモーション実施者Ｐからの申し込み（Ｉ）に応じ、自動販売機管理者サーバＶＡＳでは認証情報を作成し（ＩＩ）、認証情報のＵＲＬをプロモーション実施者サーバＰＳに送信する（ＩＩＩ）。プロモーション参加者Ｃ１，…，Ｃｍから受贈者を決定し、受贈者Ｃ１に認証情報の位置を表すＵＲＬを送信する（ＶＩ）。受贈者Ｃ１はこのＵＲＬにアクセスし（ＶＩＩ）、二次元バーコードの形の認証情報をその携帯端末Ｔ１にダウンロードし（ＶＩＩＩ）、携帯端末Ｔ１のディスプレイに表示された認証情報を自動販売機Ｖｉのバーコードリーダ８に読み取らせる（ＩＸ）。認証情報が有効であり、かつ認証情報を受信した自動販売機Ｖｉ及び時期が、商品提供が許可された自動販売機及び時期であるときには、自動販売機Ｖｉ受贈者Ｃ１に商品を提供する（ＸＩＶ）。【選択図】      図５
2004280290.tif 000002
【特許請求の範囲】
【請求項１】
自動販売機から購買者に又は自動販売機管理者サーバから購買者携帯端末に商品を販売することができる自動販売システムにおいて、自動販売機管理者サーバ内における認証情報の位置情報を自動販売機管理者サーバから贈呈者サーバに送信し、認証情報の位置情報を贈呈者サーバから受贈者携帯端末に送信し、受贈者携帯端末からの要求に応じて認証情報を自動販売機管理者サーバから受贈者携帯端末に送信し、自動販売機に設けられている受取手段が受贈者携帯端末から認証情報を受け取ったときに、該受け取った認証情報が有効であるか否かの認証を行い、該受け取った認証情報が有効であると判断されたときに、自動販売機から受贈者に又は自動販売機管理者サーバから受贈者携帯端末に商品を提供するように自動販売機又は自動販売機管理者サーバを制御する自動販売システム。
【請求項２】
自動販売機から購買者に又は自動販売機管理者サーバから購買者携帯端末に商品を販売することができる自動販売システムにおいて、認証情報に提供許可状況を予め関連付けておき、該認証情報を受贈者に提供し、自動販売機に設けられている受取手段が認証情報を受け取ったときに、該受け取った認証情報が有効であるか否かの認証を行うと共に、前記受取手段が認証情報を受け取ったときの状況と、該受け取った認証情報に関連付けられている提供許可状況とに基づいて商品の提供を許可するか否かを判断し、該受け取った認証情報が有効であると判断されかつ商品の提供を許可すると判断されたときに、自動販売機から受贈者に又は自動販売機管理者サーバから受贈者携帯端末に商品を提供するように自動販売機又は自動販売機管理者サーバを制御する自動販売システム。
【請求項３】
前記認証情報を受け取った自動販売機が、前記提供許可状況により規定される提供許可自動販売機であるときに、商品提供を許可すると判断される請求項２に記載の自動販売システム。
【請求項４】
自動販売機が前記認証情報を受け取った時期が、前記提供許可状況により規定される提供許可時期であるときに、商品提供を許可すると判断される請求項２に記載の自動販売システム。
【発明の詳細な説明】
【０００１】
【発明の属する技術分野】
本発明は自動販売システムに関する。
【０００２】
【従来の技術】
自動販売機から購買者に商品を販売することができる自動販売システムにおいて、贈呈者からの要求に応じ認証情報を電子メールに添付して自動販売機管理者サーバから受贈者携帯端末に送信し、自動販売機に設けられている受信手段が受贈者携帯端末から認証情報を受信したときに、この受信した認証情報が有効であるか否かの認証を行い、認証情報が有効であると判断されたときに、自動販売機から受贈者に商品、例えば缶ジュースを提供するようにした自動販売システムが公知である（特許文献１参照）。
【０００３】
【特許文献１】
特開２００２−７４０４８号公報
【０００４】
【発明が解決しようとする課題】
このシステムでは、受贈者の意志とは関係なく、贈呈者の意図したタイミングで電子メールが送られる。しかしながら、このとき受贈者携帯端末が必ずしも通信可能な状態にあるとは限らず、従って自動販売機管理者サーバは受贈者携帯端末が通信可能になるまで電子メールを送信し続けなければならない。このため、送信すべき電子メールの数が多くなると、システムの負荷がかなり高くなる恐れがある。
【０００５】
そこで本発明の目的は、受贈者に対し簡単にかつ確実に商品を贈呈することができる自動販売システムを提供することにある。
【０００６】
【課題を解決するための手段】
上記課題を解決するために１番目の発明によれば、自動販売機から購買者に又は自動販売機管理者サーバから購買者携帯端末に商品を販売することができる自動販売システムにおいて、自動販売機管理者サーバ内における認証情報の位置情報を自動販売機管理者サーバから贈呈者サーバに送信し、認証情報の位置情報を贈呈者サーバから受贈者携帯端末に送信し、受贈者携帯端末からの要求に応じて認証情報を自動販売機管理者サーバから受贈者携帯端末に送信し、自動販売機に設けられている受取手段が受贈者携帯端末から認証情報を受け取ったときに、該受け取った認証情報が有効であるか否かの認証を行い、該受け取った認証情報が有効であると判断されたときに、自動販売機から受贈者に又は自動販売機管理者サーバから受贈者携帯端末に商品を提供するように自動販売機又は自動販売機管理者サーバを制御する自動販売システムが提供される。
【０００７】
また、２番目の発明によれば、自動販売機から購買者に又は自動販売機管理者サーバから購買者携帯端末に商品を販売することができる自動販売システムにおいて、提供許可状況が予め関連付けられている認証情報を受贈者に提供し、自動販売機に設けられている受取手段が認証情報を受け取ったときに、該受け取った認証情報が有効であるか否かの認証を行うと共に、前記受取手段が認証情報を受け取ったときの状況が該受け取った認証情報に関連付けられている提供許可状況に一致しているか否かを判断し、該受け取った認証情報が有効であると判断されかつ該状況が該提供許可状況に一致していると判断されたときに、自動販売機から受贈者に又は自動販売機管理者サーバから受贈者携帯端末に商品を提供するように自動販売機又は自動販売機管理者サーバを制御する自動販売システムが提供される。
【０００８】
また、３番目の発明によれば２番目の発明において、前記認証情報を受け取った自動販売機が前記提供許可状況により特定される提供許可自動販売機に一致しているときに、前記状況が前記提供許可状況に一致していると判断される。
【０００９】
また、４番目の発明によれば２番目の発明において、自動販売機が前記認証情報を受け取った時期が前記提供許可状況により特定される提供許可時期に一致しているときに、前記状況が前記提供許可状況に一致していると判断される。
【００１０】
【発明の実施の形態】
図１から図７までは、プロモーション即ち販売促進の特典ないし景品を提供するときに本発明を適用した場合を示している。即ち、この場合には、商品の贈呈者がプロモーションの実施者から構成され、商品の受贈者がこのプロモーションの参加者から構成される。
【００１１】
図１を参照すると、ＶＡは自動販売機管理者、ＶＡＳは自動販売機管理者ＶＡのサーバである自動販売機管理者サーバ、Ｐはプロモーション実施者、ＰＳはプロモーション実施者Ｐのサーバであるプロモーション実施者サーバＰＳ、Ｖ１，…，Ｖｎ（ｎ＝２，３，…）はそれぞれ通信機能を備えた自動販売機、Ｃ１，…，Ｃｍ（ｎ＝２，３，…）はプロモーション実施者Ｐが実施するプロモーションの参加者、Ｔ１，…，Ｔｍはそれぞれ対応するプロモーション参加者Ｃ１，…，Ｃｍの携帯端末であるプロモーション参加者携帯端末を表している。これら自動販売機管理者サーバＶＡＳ、プロモーション実施者サーバＰＳ、自動販売機Ｖｉ（ｉ＝１，…，ｎ）、及びプロモーション参加者携帯端末Ｃｊ（ｊ＝１，…，ｍ）は例えばインターネットのような共通の通信網Ｎを介して相互に接続可能になっている。なお、これらの一部を専用回線を介して相互に接続可能にすることもできる。
【００１２】
図２及び図３は各自動販売機Ｖｉを詳細に示している。図２及び図３を参照すると、自動販売機Ｖｉは一般的な自動販売機と同様に、物品商品、例えば缶入り清涼飲料水（以下、缶ジュースという）のサンプル２を展示するサンプル棚３と、サンプル２毎に設けられた缶ジュース選択ボタン４と、缶ジュース取出口５と、現金処理装置６とを具備する。また、自動販売機Ｖｉは液晶ディスプレイ７と、バーコードリーダ８と、赤外線ポート９と、キーボタン１０と、後述するプリンタの用紙取出口１１とを具備する。キーボタン１０には数字０から９までのいわゆる１０キーのほか、「ＹＥＳ」ボタン、「ＮＯ」ボタンなどが含まれている。なお、缶ジュース選択ボタン４は通常、無効化されており、このときボタンが押されても自動販売機Ｖｉは作動しない。
【００１３】
特に図３に示されるように、自動販売機Ｖｉの内部空間内にはＣＰＵ（中央処理装置）を備えた制御装置１４と、記憶装置１５と、通信装置１６と、缶ジュース搬送装置１７と、プリンタ１８とが設けられる。缶ジュース選択ボタン４、現金処理装置６、ディスプレイ７、バーコードリーダ８、赤外線ポート９、キーボタン１０、記憶装置１５、通信装置１６、缶ジュース搬送装置１７、及びプリンタ１８は制御装置１４と相互に接続されている。
【００１４】
自動販売機Ｖｉの内部空間内には缶ジュースを貯蔵しておくための缶ジュースラックが形成されており、缶ジュース搬送装置１７はユーザが缶ジュース選択ボタン４を押すことにより選択した缶ジュースを缶ジュースラックから缶ジュース取出口５まで搬送する。
【００１５】
自動販売機管理者サーバＶＡＳ、プロモーション実施者サーバＰＳ、及び各プロモーション参加者携帯端末Ｃｊも自動販売機Ｖｉと同様に、制御装置と、記憶装置と、ディスプレイ及び通信装置を含む入出力装置とをそれぞれ具備している。
【００１６】
これら自動販売機Ｖｉの記憶装置１５又は自動販売機管理者サーバＶＡＳの記憶装置には、地図データや、携帯電話用着信メロディデータ又は待ち受け画面データのような情報商品が記憶されている。
【００１７】
商品代金を、現金の形で自動販売機Ｖｉに投入するか、又は電子バリューの形で自動販売機管理者サーバＶＡＳに転送することにより、缶ジュースのような物品商品を自動販売機Ｖｉから、地図データのような情報商品を自動販売機Ｖｉ又は自動販売機管理者サーバＶＡＳから、それぞれ購入することができる。
【００１８】
なお、地図データは例えば自動販売機Ｖｉのプリンタ１８により印刷され、紙媒体の形で提供される。映画やコンサートなどのチケットも同様である。一方、携帯電話用着信メロディなどは自動販売機関理者サーバＶＡＳから購入者の携帯電話に送信され、ダウンロードされる。
【００１９】
商品代金を電子バリューの形で支払う場合、購入者に認証情報（後述する）を提供し、この認証情報を自動販売機Ｖｉに受信させることによって商品を受け取ることができる。即ち、購入者は認証情報を獲得すれば、現金による支払いを行うことなく商品を受け取ることができるのである。この認証情報はさまざまな形態をとりうるが、例えば二次元バーコードの形をなしている。本発明による実施例では、自動販売機Ｖｉのバーコードリーダ８に二次元バーコードを読み取らせることによって、自動販売機Ｖｉに認証情報を受信させることができる。
【００２０】
従って、商品を贈呈しようとする受贈者が商品代金を支払うことにより認証情報を獲得し、受贈者に認証情報を提供し、受贈者が認証情報を用いて商品を受け取れば、贈呈者から受贈者へ商品を贈呈したのと同じことになる。即ち、贈呈者は受贈者に認証情報を提供するだけでよく、商品それ自体を送付する必要が全くない。これが本発明の基礎となる考え方である。
【００２１】
ところで、或る特定の店舗への来店客数を増大させるためにプロモーションを実施する場合に、受贈者があらゆる自動販売機Ｖｉにおいて商品を受け取ることができるのであれば、必ずしも来店客数は増大しない。
【００２２】
そこで本発明による実施例では、商品提供を許可する自動販売機Ｖｉを認証情報に予め関連付けておき、商品提供が許可された自動販売機Ｖｉでのみ受贈者に商品を提供するようにしている。このようにすると、受贈者は商品を受け取るために、商品提供が許可された自動販売機Ｖｉ、即ち特定の店舗に来店する必要があり、従って特定の店舗の来店客数を増大させることができる。
【００２３】
図４（Ａ）に示される例では、自動販売機Ｖ１が、商品提供が許可されている自動販売機であり、受贈者が自動販売機Ｖ１に認証情報を送信すると（Ｘ１）商品を受け取ることができる（Ｙ）。受贈者が他の自動販売機Ｖ１，Ｖ２に認証情報を送信しても（Ｘ２，Ｘ３）商品を受け取ることができない。従って、自動販売機Ｖ１が設置されている店舗Ｓ１への来店客数を増大させることができる。
【００２４】
更に本発明による実施例では、商品提供を許可する時期を認証情報に予め関連付けておき、自動販売機Ｖｉが認証情報を受け取った時期が、商品提供が許可された時期であるときのみ受贈者に商品を提供するようにしている。このようにすると、特定の時期における来店客数を増大させることができる。
【００２５】
図４（Ｂ）に示される例では、午前中が、商品提供が許可されている時期ないし時間帯であり、受贈者が午前中に自動販売機Ｖｉに認証情報を送信すると（Ｘ１）商品を受け取ることができる（Ｙ）。受贈者が午後になってから認証情報を送信しても（２）商品を受け取ることができない。従って、午前中における店舗Ｓへの来店客数を増大させることができる。
【００２６】
このように本発明による実施例では、自動販売機Ｖｉが認証情報を受け取った状況について、商品提供を許可する状況が認証情報に予め関連付けられており、自動販売機Ｖｉが認証情報を受け取った状況が、商品提供が許可された状況であるときのみ受贈者に商品が提供される。別の見方をすると、認証情報に商品提供についての場所的制限及び時期的制限が予め関連付けてられているということにもなる。これら場所的制限及び時期的制限は必ずしも必要なく、いずれか一方でもよい。
【００２７】
場所的制限及び時期的制限はさまざまな形で規定することができる。例えば、場所的制限は一つの自動販売機Ｖｉだけでなく、複数の自動販売機Ｖｉにすることもできる。一方、時期的制限は時間帯のほか、曜日、日、週、月などの形で規定することもできる。
【００２８】
なお、一つの認証情報で商品提供を１回だけ受けられるようにしてもよいし、複数回受けられるようにしてもよい。
【００２９】
次に、本発明による実施例を詳しく説明する。
【００３０】
図５（Ａ）及び（Ｂ）はプロモーションの特典が物品商品例えば缶ジュースの場合を示している。
【００３１】
図５（Ａ）を参照すると、まず、プロモーション実施者Ｐは自動販売機管理者ＶＡに対し、本自動販売システムを用いるための申し込みを行う（Ｉ）。この申し込みには、発行すべき認証情報の数、認証情報により提供される商品即ち特典の質及び量についての情報が含まれている。即ち、例えば一つの認証情報につき缶ジュースを１本、合計で１００本、といった情報である。更に、申し込みには、上述した商品提供を許可する自動販売機Ｖｉ及び時期についての情報も含まれている。
【００３２】
自動販売機管理者サーバＶＡＳでは、申し込みに応じた認証情報が作成され、自動販売機管理者サーバＶＡＳの記憶装置内に記憶される（ＩＩ）。この場合、図６に示されるように、例えば二次元バーコードの形の各認証情報には、それにより提供すべき商品の質及び量、並びに商品提供を許可する自動販売機及び時期が関連付けられている。
【００３３】
次いで、自動販売機管理者サーバＶＡＳのうち、認証情報が記憶されている位置が例えばＵＲＬ（Ｕｎｉｆｏｒｍ  Ｒｅｓｏｕｒｃｅ  Ｌｏｃａｔｏｒ）の形で、自動販売機管理者サーバＶＡＳから送信され、プロモーション実施者サーバＰＳで受信される（ＩＩＩ）。
【００３４】
一方、プロモーション実施者Ｐは例えばそのＷｅｂサイトや雑誌などでプロモーションを告知し、それを見たプロモーション参加者Ｃｊはプロモーション実施者ＰのＷｅｂサイトにアクセスする（ＩＶ）。次いで、プロモーション実施者サーバＰＳでは、プロモーション参加者Ｃｊのうちから商品提供を受けることのできるプロモーション参加者Ｃｊ即ち受贈者が決定される（Ｖ）。この場合、プロモーション実施者ＰのＷｅｂサイト上で例えばクイズやゲームなどを行い、クイズに正解し又はゲームに成功したプロモーション参加者Ｃｊを受贈者とすることができる。
【００３５】
次いで、受贈者となったプロモーション参加者Ｃｊの携帯端末Ｔｊに、プロモーション実施者サーバＰＳから認証情報のＵＲＬが送信される（ＶＩ）。即ち、認証情報それ自体は送信されず、ＵＲＬのみが送信される。この場合、プロモーション実施者ＰのＷｅｂサイトの特定のＷｅｂページに認証情報のＵＲＬをリンクしておき、受贈者にのみこの特定のＷｅｂページに進めるようにすることができる。あるいは、認証情報のＵＲＬを例えば電子メールの形で、又は電子メールに添付して受贈者に送信することもできる。このようにすると、Ｗｅｂサイトへのアクセス数を増加させることもできる。
【００３６】
図５（Ａ）及び（Ｂ）に示される例では、プロモーション参加者Ｃ１が受贈者であり、その携帯端末Ｔ１に認証情報のＵＲＬが送信される。なお、プロモーション参加者Ｃｊ全員を受贈者とすることもできる。
【００３７】
次いで図５（Ｂ）に示されるように、受贈者Ｃ１は受信したＵＲＬにアクセスし（ＶＩＩ）、認証情報を自動販売機管理者サーバＶＡＳから携帯端末Ｔ１にダウンロードする（ＶＩＩＩ）。このように、受贈者Ｃ１は自分の都合のよいときに認証情報を受け取ることができる。
【００３８】
次いで、受贈者Ｃ１は携帯端末Ｔ１のディスプレイ上に表示された二次元バーコードの形の認証情報を自動販売機Ｖｉのバーコードリーダ８上にかざし、読み取らせる即ち送信する（ＩＸ）。携帯端末Ｔｊが赤外線ポートを備えている場合には、携帯端末Ｔｊの赤外線ポートから自動販売機Ｖｉの赤外線ポート９に認証情報を送信するようにしてもよい。
【００３９】
次いで、自動販売機Ｖｉは受信した認証情報を自動販売機管理者サーバＶＡＳに送信し（Ｘ）、自動販売機管理者サーバＶＡＳでは認証情報が有効であるか否かの認証が行われる（ＸＩ）。即ち、受信した認証情報が真正であるか否か、及び有効期限内であるか否かが判断される。本発明による実施例では、認証情報が発行されてから即ち受贈者Ｃ１の携帯端末Ｔ１にダウンロードされてから、例えば６０分のような一定時間が経過するまで有効期限内であると判断される。
【００４０】
自動販売機管理者サーバＶＡＳでは更に、認証情報を受信した自動販売機Ｖｉ及び時期が、商品提供が許可されている自動販売機及び時期であるか否かが判断される（ＸＩＩ）。ここで、商品提供が許可されている自動販売機及び時期は図６を参照して説明したように、各認証情報に関連付けて自動販売機管理者サーバＶＡＳに記憶されている。なお、認証情報についての認証（ＸＩ）及び判断（ＸＩＩ）を自動販売機Ｖｉで行うようにすることもできる。
【００４１】
次いで、認証情報についての認証（ＸＩ）及び判断（ＸＩＩ）の結果は自動販売機管理者サーバＶＡＳから自動販売機Ｖｉに送信される（ＸＩＩＩ）。認証情報が有効でないか、又は認証情報を受信した自動販売機もしくは時期が、商品提供が許可されている自動販売機もしくは時期でないときには、その旨が自動販売機Ｖｉのディプレイ７上に表示される（ＸＩＶ’）。この場合、缶ジュース選択ボタン４は無効化され続けており、商品提供は行われない。
【００４２】
これに対し、認証情報が有効でありかつ認証情報を受信した自動販売機及び時期が、商品提供が許可されている自動販売機及び時期であるときには、缶ジュース選択ボタン４が有効化され、受贈者Ｃ１が缶ジュース選択ボタン４を押すと、缶ジュースが缶ジュース取出口５まで搬送され、受贈者Ｃ１に提供される（ＸＩＶ）。このようにして受贈者Ｃ１に商品が送られる。
【００４３】
次いで、自動販売機Ｖｉは商品提供があったことを自動販売機管理者サーバＶＡＳに送信する（ＸＶ）。自動販売機管理者サーバＶＡＳは例えば実際に提供した商品の量に応じて課金するために、課金情報をプロモーション実施者サーバＰＳに送信する（ＸＶＩ）。なお、図５（Ｂ）に示される例ではいわゆる後払いになっているが、先払いにすることもできるし、実際の商品提供量とは無関係に申し込みのあった商品数に応じて課金することもできる。
【００４４】
図７（Ａ）及び（Ｂ）はプロモーションの特典が情報商品例えば携帯電話用着信メロディデータ（以下着メロという）の場合を示している。
【００４５】
図７（Ａ）を参照すると、図５（Ａ）を参照した場合と同様に、プロモーション実施者Ｐから自動販売機管理者ＶＡに申し込みが行われ（Ｉ）、申し込みに応じた認証情報が作成される（ＩＩ）。
【００４６】
次いで、図７に示される例では、認証情報それ自体が自動販売機管理者サーバＶＡＳからプロモーション実施者サーバＰＳに送信される（ＩＩＩ）。
【００４７】
一方、プロモーション参加者Ｃｊはプロモーション実施者ＰのＷｅｂサイトにアクセスし（ＩＶ）、商品提供を受けることのできるプロモーション参加者Ｃｊ即ち受贈者がプロモーション実施者サーバＰＳで決定される（Ｖ）。
【００４８】
次いで、受贈者となったプロモーション参加者Ｃｊの携帯端末Ｔｊに、プロモーション実施者サーバＰＳから認証情報が送信される（ＶＩ）。この場合、例えばハガキのような紙媒体に認証情報を印刷して受贈者Ｃ１に送付することもできる。図７（Ａ）及び（Ｂ）に示される例では、プロモーション参加者Ｃ１が受贈者であり、その携帯端末Ｔ１に認証情報が送信される。
【００４９】
次いで図７（Ｂ）に示されるように、受贈者Ｃ１は携帯端末Ｔ１のディスプレイ上に表示された二次元バーコードの形の認証情報を例えば自動販売機Ｖｉのバーコードリーダ８上にかざし、読み取らせる即ち送信する（ＶＩＩ）。自動販売機Ｖｉは受信した認証情報を自動販売機管理者サーバＶＡＳに送信し（ＶＩＩＩ）、自動販売機管理者サーバＶＡＳでは認証情報についての認証及び判断が行われる（ＩＸ，Ｘ）。認証情報が有効でないか、又は認証情報を受信した自動販売機もしくは時期が、商品提供が許可されている自動販売機もしくは時期でないときには、その旨が自動販売機Ｖｉに送信され（ＸＩ’）、自動販売機Ｖｉのディプレイ７上に表示される（ＸＩ”）。
【００５０】
これに対し、認証情報が有効でありかつ認証情報を受信した自動販売機及び時期が、商品提供が許可されている自動販売機及び時期であるときには、自動販売機管理者サーバＶＡＳから、受贈者Ｃ１の携帯端末Ｔ１に着メロが送信される（ＸＩ）。このようにして受贈者Ｃ１に商品が送られる。なお、商品の送付先である受贈者Ｃ１の携帯端末Ｔ１を特定する情報を、認証情報に関連付けて自動販売機Ｖｉのバーコードリーダ８に読み取らせることができるようになっている。また、自動販売機Ｖｉの赤外線ポート９から携帯端末Ｔｊの赤外線ポートに情報商品を送信するようにしてもよい。
【００５１】
次いで、課金情報が自動販売機管理者サーバＶＡＳからプロモーション実施者サーバＰＳに送信される（ＸＩＩ）。
【００５２】
図８（Ａ）及び（Ｂ）は更に別の例を示している。
【００５３】
図８（Ａ）を参照すると、まず、プロモーション参加者Ｃｊは例えば自動販売機管理者サーバＶＡＳのＷｅｂサイトにアクセスし、認証情報を要求する（Ｉ）。自動販売機管理者サーバＶＡＳでは、プロモーション参加者Ｃｊからの要求に応じ認証情報を作成し（ＩＩ）、プロモーション参加者Ｃｊの携帯端末Ｔｊに認証情報を送信する（ＩＩＩ）。
【００５４】
次いで、プロモーション参加者Ｃｊは携帯端末Ｔ１のディスプレイ上に表示された認証情報を自動販売機Ｖｉのバーコードリーダ８上にかざし、読み取らせる（ＩＶ）。次いで、自動販売機Ｖｉは受信した認証情報を自動販売機管理者サーバＶＡＳに送信し（Ｖ）、自動販売機管理者サーバＶＡＳでは認証情報についての認証が行われる（ＶＩ）。
【００５５】
認証情報についての認証（ＶＩ）の結果は自動販売機管理者サーバＶＡＳから自動販売機Ｖｉに送信される（ＶＩＩＩ）、自動販売機Ｖｉのディプレイ７上に表示される（ＶＩＩＩ）。
【００５６】
認証情報が有効であるときには、商品代金投入待ち受け状態となる。次いで、プロモーション参加者Ｃｊが例えば缶ジュースを購入するために例えば現金の形で商品代金を投入すると（ＩＸ）、缶ジュース選択ボタン４が有効化され、次いで缶ジュース選択ボタン４を押すと、缶ジュースが缶ジュース取出口５まで搬送される（Ｘ）。このようにしてプロモーション参加者Ｃｊは商品を購入する。
【００５７】
次いで、自動販売機Ｖｉは商品購入のあったことを自動販売機管理者サーバＶＡＳに送信する（ＸＩ）。自動販売機管理者サーバＶＡＳでは、各プロモーション参加者Ｃｊの商品購入履歴、即ち積算購入金額又は回数が関連付けて記憶されており、この購入履歴が更新される（ＸＩＩ）。
【００５８】
図８に示される例では、プロモーション参加者Ｃｊの積算購入金額又は回数が予め定められた設定金額又は回数を越えると、特典例えば缶ジュース１本がプロモーション参加者Ｃｊに提供されるようになっている。即ち、図８（Ｂ）に示されるように、プロモーション参加者Ｃｊが認証情報を自動販売機Ｖｉのバーコードリーダ８に読み取らせ（ＩＶ）、自動販売機Ｖｉが受信した認証情報を自動販売機管理者サーバＶＡＳに送信すると（Ｖ）、自動販売機管理者サーバＶＡＳでは認証情報についての認証が行われる（ＶＩ）と共に、プロモーション参加者Ｃｊの積算購入金額又は回数が設定金額又は回数を越えたか否かの判断が行われる（ＶＩ）。
【００５９】
プロモーション参加者Ｃｊの積算購入金額又は回数が設定金額又は回数を越えていると判断されたときには、自動販売機Ｖｉを制御して（ＶＩＩ）缶ジュース選択ボタン４が有効化され、プロモーション参加者Ｃｊが缶ジュース選択ボタン４を押すと、缶ジュースが缶ジュース取出口５まで搬送され、プロモーション参加者Ｃｊに提供される（Ｘ）。次いで、特典の提供があったことが自動販売機Ｖｉから自動販売機管理サーバＶＡＳに送信される（ＸＩ）。次いで、自動販売機管理サーバＶＡＳでは、特典の提供があったことが認証情報に関連付けて記憶される（ＸＩＩ）。
【００６０】
【発明の効果】
受贈者に対し簡単にかつ確実に商品を贈呈することができる。
【図面の簡単な説明】
【図１】自動販売システムの概略全体図である。
【図２】自動販売機の正面図である。
【図３】自動販売機の内部構成を示す概略図である。
【図４】本発明による実施例を説明するための図である。
【図５】本発明による実施例を説明するための図である。
【図６】本発明による実施例を説明するための図である。
【図７】本発明による別の実施例を説明するための図である。
【図８】別の例を説明するための図である。
【符号の説明】
Ｖ１，…，Ｖｎ…自動販売機
ＶＡ…自動販売機管理者
ＶＡＳ…自動販売機管理者サーバ
Ｐ…プロモーション実施者
ＰＳ…プロモーション実施者サーバ
Ｃ１，…，Ｃｍ…プロモーション参加者
Ｔ１，…，Ｔｍ…プロモーション参加者携帯端末
Ｎ…通信網
５…缶ジュース取出口
８…バーコードリーダ
【図１】
2004280290.tif 000003
【図２】
2004280290.tif 000004
【図３】
2004280290.tif 000005
【図４】
2004280290.tif 000006
【図５】
2004280290.tif 000007
【図６】
2004280290.tif 000008
【図７】
2004280290.tif 000009
【図８】
2004280290.tif 000010